(57)【特許請求の範囲】
【請求項１】
上流端が止水弁を介して水道管に接続された洗浄水流路の下流端に吐出ノズルを接続し、吐出ノズルの内部流路に、水道の吐出圧を利用して液体洗剤の自給引き込みを行なう洗剤供給部が設けられた洗浄水吐出装置において、上記洗剤供給部よりも上流側の洗浄水流路に、止水操作に連動して開閉動作する大気開放弁を設けると共に、上記洗剤供給部と大気開放弁との間の洗浄水流路であって且つ上記大気開放弁よりも低い位置に、上記大気開放弁の開放時に排水ドレンを開放する排水弁を設けたことを特徴とする洗浄水吐出装置。
【請求項２】
上記排水弁は、水道管側の水圧低下に応じて排水ドレンを開放するように開閉動作するものであることを特徴とする請求項１記載の洗浄水吐出装置。
【請求項３】
上記洗浄水流路に、洗剤供給部側と大気開放弁側と排水ドレン側とに各々通じる三方分岐路を設け、該三方分岐路に、通水時には排水ドレン側のみを閉じ止水時には大気開放弁側のみを閉じる排水弁を配置したことを特徴とする請求項１記載の洗浄水吐出装置。
【請求項４】
上記洗浄水流路に、洗剤供給部側と大気開放弁側と排水ドレン側とに各々通じる三方分岐路を設け、該三方分岐路に、通水時には排水ドレン側のみを閉じ止水時には大気開放弁側と洗剤供給部側と排水ドレン側の三方を同時に開く排水弁を配置したことを特徴とする請求項１記載の洗浄水吐出装置。
【発明の詳細な説明】
【技術分野】
【０００１】
本発明は、洗浄水吐出装置に関し、詳しくは水道の吐出圧を利用して洗浄水中への液体洗剤の自給引き込みを行なう洗剤供給部を備えた洗浄水吐出装置に関するものである。
【背景技術】
【０００２】
一般に、キッチンにおける調理や食事後の汚れが付着した皿や鍋等の被洗浄物は、液体洗剤を付けたタワシやスポンジを手で持ってこすり洗いをしているか、或いは食器洗い機が利用されている。手洗いの場合は、液体洗剤や長時間の流水が手荒れの原因となる。食器洗い機では、しつこい汚れは十分に落としきれないという問題がある。
【０００３】
流し台に設置した通常の水栓カランは、泡沫水やシャワー水にすることで、水跳ね軽減や洗浄性を高める工夫がされているが、洗浄力が低くキッチンシンクの表面や食器等の被洗浄物を綺麗に洗浄できない。
【０００４】
従来、水道の吐出圧を利用して洗浄水中への液体洗剤の自給引き込みを行なう洗剤供給部と、気体を混入させる気体混入部とを備えた気泡入り洗浄水吐出装置が知られている（例えば特許文献１）。
【０００５】
従来の気泡入り洗浄水吐出装置では、吐出ノズルの洗剤タンクと水道管に通じる内部流路とが連通しているため、止水時或いは断水等で水道管の方で負圧現象による水道水の逆流が起きた時は、吐出ノズルからの洗浄水が水道管側に逆流して、汚染された水が水道上水に混じって家庭の飲料水を汚染する可能性があり、このため水道法を遵守するシステム構成が複雑化するという課題を有していた。
【特許文献１】特開２０００−３４５５９５号公報
【発明の開示】
【発明が解決しようとする課題】
【０００６】
本発明は上記の従来の問題点に鑑みて発明したものであって、その課題とするところは、大気開放弁による負圧破壊と排水弁による洗浄水排水とにより、水道管側への洗浄水の逆流を確実に防止でき、これにより水道法を遵守するシステム構成を容易に実現できる洗浄水吐出装置を提供することにある。
【課題を解決するための手段】
【０００７】
前記の課題を解決するために、本発明は、以下の構成を特徴としている。
【０００８】
上流端が止水弁６を介して水道管４に接続された洗浄水流路３の下流端に吐出ノズル１４を接続し、吐出ノズル１４の内部流路１９に、水道の吐出圧を利用して液体洗剤の自給引き込みを行なう洗剤供給部９が設けられた洗浄水吐出装置１である。上記洗剤供給部９よりも上流側の洗浄水流路３に、止水操作に連動して開閉動作する大気開放弁７を設ける。さらに上記洗剤供給部９と大気開放弁７との間の洗浄水流路３であって且つ上記大気開放弁７よりも低い位置に、大気開放弁７の開放時に排水ドレン４２を開放する排水弁４１を設ける。
【０００９】
このような構成とすることで、止水時には大気開放弁７によって洗剤供給部９側と水道管４側との通水が縁切りされた負圧破壊状態にでき、またこのとき大気開放弁７よりも低い位置にある排水弁４１が開いて吐出ノズル１４からの洗浄水が排水ドレン４２から排水されるようになるので、吐出ノズル１４側の洗浄水が大気開放状態にある洗浄水流路３の高低差を乗り越えて水道管４側へ逆流することも確実に防止できるようになる。
【００１０】
また上記排水弁４１は、水道管４側の水圧低下に応じて排水ドレン４２を開放するように開閉動作するものであるのが好ましく、この場合、水道水圧の変化により開閉する簡易な構造で排水弁４１を構成できる。
【００１１】
また、上記洗浄水流路３に、洗剤供給部９側と大気開放弁７側と排水ドレン４２側とに各々通じる三方分岐路を設け、該三方分岐路に、通水時には排水ドレン４２側のみを閉じ止水時には大気開放弁７側のみを閉じる排水弁４１を配置するのが好ましく、この場合、排水弁４１を排水ドレン４２側のみを閉じる状態と大気開放弁７側のみを閉じる状態とに作動させればよいので、排水弁４１を簡易な構成にすることができる。
【００１２】
また、上記洗浄水流路３に、洗剤供給部９側と大気開放弁７側と排水ドレン４２側とに各々通じる三方分岐路を設け、該三方分岐路に、通水時には排水ドレン４２側のみを閉じ止水時には大気開放弁７側と洗剤供給部９側と排水ドレン４２側の三方を同時に開く排水弁４１を配置するのが好ましく、この場合、排水弁４１による排水時には３方のそれぞれに残る洗浄水をすべて排水可能となり、水道管４側への洗浄水の逆流防止をより確実に行なえるようになる。
【発明の効果】
【００１３】
本発明は、大気開放弁による負圧破壊効果と排水弁による逆流洗剤の排出効果とにより、水道管側への洗浄水の逆流を確実に防止でき、水道上水を汚染するおそれがないものであり、このような逆流防止対策を施すことで、水道法を遵守するシステム構成を容易に実現できるものである。
【発明を実施するための最良の形態】
【００１４】
以下、本発明を添付図面に示す実施形態に基いて説明する。
【００１５】
図２は、流し台２の通常の水栓カラン４０とは異なる位置に設けられたキッチンシンク１３用の洗浄水吐出装置１の一例である。
【００１６】
洗浄水吐出装置１の洗浄水流路３の上流端は水道管４に接続してあり、洗浄水流路３には水源となる水道水が供給される。洗浄水流路３には上流側から順に、図１に示すように、定流量弁５（減圧弁）、止水弁６、大気開放弁７、排水弁４１を設けてあり、更に下流側には立上管１５及びノズルホース１６を介して吐出ノズル１４が接続されており、これらを順に通過した洗浄水が吐出ノズル１４の先端に設けた吐出口１２からキッチンシンク１３内に吐出されるようになっている。
【００１７】
定流量弁５及び止水弁６は、流し台２に内装されている。定流量弁５は水道の吐出圧により水道水を減圧し流量を一定にして下流側へと送る。止水弁６は電磁弁からなり、該止水弁６を開閉することで吐出ノズル１４の吐出口１２から洗浄水を吐出するか否かを切り替える。
【００１８】
大気開放弁７は、洗浄水流路３の上流側の水圧の変化により開閉するフロート弁からなり、水道管４側の水圧低下に応じて洗浄水流路３内の空間を大気に開放するように開閉動作するものであり、負圧破壊装置として機能する。
【００１９】
上記大気開放弁７の下流側には後述の排水弁４１が配置され、この排水弁４１よりも下流側の流路は立上管１５となっている。立上管１５は、図１に示すように、カウンタ１８から上方に立設されており、その上端部には、カランネック部２８が取り付けられている。このカランネック部２８は、先端が前下方に向くようなアーチ型に形成され、内部にノズルホース１６が収納されていると共に、ノズルホース１６の一端が立上管１５の下流に接続され、他端がカランネック部２８の外部に配置される吐出ノズル１４の後端部に接続されている。
【００２０】
上記吐出ノズル１４には、図７に示す気体混入部８、洗剤供給部９、気泡微細化部１０、整流部１１が設けられている。ここでは、吐出ノズル１４の内部には上流部１９ａ、中流部１９ｂ、下流部１９ｃで構成される直線状の内部流路１９が形成されている。内部流路１９の上流部１９ａには絞り管２０を設けてあり、絞り管２０の下流側の管径は上流側の管径よりも短い。内部流路１９の上流部１９ａの内周面において、絞り管２０の外周面に対向する位置又は絞り管２０よりも若干下流側の位置には気体取込口８ａからなる気体混入部８と液体洗剤取込口９ａからなる洗剤供給部９を設けてあり、図示例では絞り管２０の外周面に対向する位置に気体混入部８を設けると共に、絞り管２０の若干下流側に位置する内周面に洗剤供給部９を設けている。
【００２１】
上記気体混入部８は、室内に開放されており、洗浄水が絞り管２０を通過することで、内部流路１９の気体混入部８近傍で負圧が発生し、エジェクタ効果を利用して外気が気体混入部８より内部流路１９に取り込まれる。
【００２２】
上記洗剤供給部９は、洗剤タンク２１内部に連通している。洗剤タンク２１の出口から洗剤供給部９までの流路の途中には開閉弁２２を設けている。図６のように開閉弁２２の操作スイッチ２６は吐出ノズル１４側に設けてあり、操作スイッチ２６を操作することで開閉弁２２の開閉を切り替えられるようになっている。図中の１７は洗剤タンク２１の液体洗剤補給口を開閉するキャップである。洗剤タンク２１内には液体洗剤、例えば、液体洗剤原液又は液体洗剤原液を水で希釈したものが貯留されている。
【００２３】
上記内部流路１９の中流部１９ｂは、ベンチュリ管状の流路としてあり、上流側の減圧部２３と下流側の増圧部２４とで構成してある。減圧部２３は下流側に向かって流路径を縮小した流路からなり、増圧部２４は下流側に向かって流路径を拡大した流路からなり、該中流部１９ｂを通過する気泡入り洗浄水は減圧部２３及び増圧部２４を通過する際に生じる圧力変動に伴って含有する比較的大きな気泡が剪断されて微細化される。また、中流部１９ｂ（増圧部２４）の下流側端部には、気泡を更に微細化するためのメッシュ２５を設けてある。
【００２４】
内部流路１９の下流部１９ｃは、流れ方向において断面が同一の円形となった整流部１１としてある。整流部１１は流路長さＬを整流部１１の直径ａの２〜５倍としてあり、気泡入り洗浄水は断面円形で流路長さの長い整流部１１で整流されて吐出量の偏りを防止している。
【００２５】
ここで、図４は排水弁４１の一例を示している。排水弁４１は流し台２の上面を構成するカウンタ１８の下に設置されている。この排水弁４１は、洗剤供給部９側の最下部Ｈ２よりも高く、且つ上記大気開放弁７の高さＨよりも低い位置Ｈ１に配置されており、水道管４側の水圧低下に応じて排水ドレン４２を開放するように開閉動作するものである。図４の例では、洗浄水流路３には、洗剤供給部９側（３ａ側）と大気開放弁７側（３ｂ側）と排水ドレン４２側とに各々通じる三方分岐路が設けられており、この三方分岐路に排水弁４１が配置されている。この排水弁４１は、弁バネ４６によって大気開放弁７側の弁座４３に向かって常に付勢されており、通水時には弁バネ４６が水圧で押されて収縮して弁座４４に押圧されることで、排水ドレン４２側が閉じられて、矢印イで示すように大気開放弁７側（３ｂ側）から洗剤供給部９側（３ａ側）に通水される状態となり、一方、止水時には、弁バネ４６が復帰して排水弁４１が大気開放弁７側の弁座４３に向かって押圧されることで、大気開放弁７側が閉じられて、排水ドレン４２側が開放されて矢印ロで示すように吐出ノズル１４からの洗浄水を排水するものである。
【００２６】
上記構成の洗浄水吐出装置１を用いてキッチンシンク１３の表面や食器等の被洗浄物を洗浄するには、吐出ノズル１４を可動して吐出口１２を被洗浄物に向け、この状態で止水弁６を開いて水道管４から水道水が洗浄水流路３に供給され、定流量弁５及び止水弁６、排水弁４１を経て立上管１５内を通過する。このとき大気開放弁７のフロートが浮き上がって大気開放口を塞ぐことで洗浄水流路３内の空間は密閉された状態となり、水道水は立上管１５を通過し、ノズルホース１６を経て吐出ノズル１４へ供給され、吐出ノズル１４の内部流路１９を通過した後、吐出ノズル１４の先端の吐出口１２から吐出される。このとき水道の吐出圧を利用して、気体混入部８から空気が混入され、さらに吐出ノズル１４に設けた操作スイッチ２６を操作して開閉弁２２を開くことで、洗剤タンク２１の液体洗剤が洗剤供給部９から自給引き込みされて、気泡入り洗浄水となって吐出口１２から吐出される。
【００２７】
ここで、止水弁６を閉じた時或いは断水等により水道管４側で負圧（例えば−５４ＫＰａ）が発生した時は、大気開放弁７が開いて洗浄水流路３内の空間が大気に開放されるようになるので、洗剤供給部９側と水道管４側との通水が縁切りされた負圧破壊状態となり、水道管４への洗浄水の逆流現象が防がれる。
【００２８】
しかもこのときは排水弁４１によって大気開放弁7側が閉じられて排水ドレン４２が開放されることで、吐出ノズル１４側の洗浄水が外部に排出されるようになるので、吐出ノズル１４側からの洗浄水が大気開放弁７側の大気開放状態にある洗浄水流路３の高低差（Ｈ２、Ｈ１、Ｈ）を乗り越えて水道管４側に達することもなくなる。従って、大気開放弁７による負圧破壊効果と排水弁４１による洗浄水の排出効果とによって、水道管４側への洗浄水の逆流を確実に防止できる結果、水道上水を汚染するおそれがない逆流防止対策を施すことができ、水道法を遵守するシステム構成を容易に実現できる利点がある。
【００２９】
また本例の大気開放弁７は、水道管４側の水圧低下に応じて洗浄水流路３内の空間を大気に開放するように開閉動作するものであるから、水道水圧の変化により開閉する簡易なフロート弁で大気開放弁７を構成できる利点があり、また排水弁４１も同様に水道水の水圧低下に応じて開閉作動する簡易な弁構造で済む利点がある。
【００３０】
なお、大気開放弁７及び排水弁４１は、必ずしも水圧変化に応じて自動的に開閉動作を行なうものに限らず、例えば止水操作に連動して電気的に開閉動作する電磁弁で構成されてもよい。
【００３１】
また前記実施形態では、排水弁４１をカウンタ１８の下に配置したが、例えば、図３に示すように、排水弁４１をカウンタ１８の上に配置してもよい。本例では、立上管１５は、図１に示すように、流し台２の上面を構成するカウンタ１８から上方に延びており、充分な高さで下方に折り返した逆Ｕ字状の管からなり、該立上管１５の上端部には大気開放弁７が設けられている。立上管１５の内部に排水弁４１が収納されている。排水弁４１は、洗剤供給部９側の最下部Ｈ２よりも高く、且つ上記大気開放弁７の高さＨよりも低い位置Ｈ１に配置される。本例では、排水弁４１の高さを立上管１５の略１／２の高さ程度に配置することで、排水弁４１を大気開放弁７よりも低く配置している。
【００３２】
図５は図４の変形例であり、洗浄水流路３に設けた三方分岐路に通水時には排水ドレン４２側のみを閉じ、止水時には大気開放弁７側（３ｂ）と洗剤供給部９側（３ａ）と排水ドレン４２側の三方を同時に開く排水弁４１を配置した場合の実施形態である。他の構成は図１の実施形態と同様である。本例では、弁バネ４６によって排水弁４１が大気開放弁７側と排水ドレン４２側との間の流路部分に設けた中央弁座４５に向かって付勢されている。通水時には弁バネ４６が水圧で押されて収縮し、排水弁４１が排水ドレン４２側の弁座４４に向かって押圧されることで、図５（ａ）のように排水ドレン４２側が閉じられて、矢印イで示すように大気開放弁７側から洗剤供給部９側（吐出ノズル１４側）に通水される状態となる。一方、止水時には、弁バネ４６が復帰して排水弁４１が中央弁座４５に向かって押圧されることで、図５（ｂ）のように大気開放弁７側と洗剤供給部９側と排水ドレン４２側の三方が同時に開かれた状態となり、矢印ロ、ハで示すように吐出ノズル１４からの洗浄水のみならず大気開放弁７側からの残った洗浄水をそれぞれ排水ドレン４２に排水できるようになる。従って、大気開放弁７より下流側の洗浄水流路３に残る洗浄水をすべて排水でき、水道管４側への洗浄水の逆流防止をより確実に行なうことができる利点がある。
【００３３】
なお前記実施形態では、洗剤タンク２１を吐出ノズル１４に一体に取り付けた場合を例示したが、必ずしもこれに限らず、例えば洗剤タンク２１を吐出ノズル１４とは別体に設け、洗剤タンク２１を洗剤供給パイプを介して吐出ノズル１４の洗剤供給部９に連結する構成も可能である。
【００３４】
また、前記実施形態では、気体混入部８と洗剤供給部９とを併せ持った吐出ノズル１４を例示したが、気体混入部８は省略可能である。
【図面の簡単な説明】
【００３５】
【図１】本発明の一実施形態の排水弁及び大気開放弁を備えた洗浄水吐出装置の概略構成図である。
【図２】同上の洗浄水吐出装置の設置の一例を説明する斜視図である。
【図３】同上の排水弁を流し台のカウンタの上方に配置した他の実施形態を説明する概略構成図である。
【図４】（ａ）は同上の排水弁を三方分岐路に配置した状態を示し、（ｂ）は排水ドレン側を閉じて大気開放弁側から洗剤供給部側への通水状態を示し、（ｃ）は大気開放弁側を閉じて洗剤供給部側から排水ドレン側への排水状態を示す概略構成図である。
【図５】（ａ）（ｂ）は同上の三方分岐路に配置される排水弁の他の実施形態の説明図である。
【図６】同上の吐出ノズルと洗剤タンクの接続状態を説明する斜視図である。
【図７】同上の吐出ノズルの内部構造を説明する断面図である。
【符号の説明】
【００３６】
１  洗浄水吐出装置
３  洗浄水流路
４  水道管
６  止水弁
７  大気開放弁
９  洗剤供給部
１４  吐出ノズル
１９  内部流路
４１  排水弁
４２  排水ドレン
【図１】
0004893686.tif 000002
【図２】
0004893686.tif 000003
【図３】
0004893686.tif 000004
【図４】
0004893686.tif 000005
【図５】
0004893686.tif 000006
【図６】
0004893686.tif 000007
【図７】
0004893686.tif 000008